(57)【要約】【課題】  筐体に対する検知ユニットの取り付け位置を容易に調整することができる光走査装置を提供する。【解決手段】  光走査装置１は、感光体を露光するための光ビームを出射する光源と、光ビームが感光体の上を走査するように光源から出射された光ビームを偏向する偏向器と、感光体の上を走査する光ビームの光源からの出射タイミングを制御する信号を生成するための検知ユニット２３０であって、偏向器により偏向された光ビームを反射する反射部材２３１と、反射部材により反射された光ビームを受光して信号を生成する受光センサ２３２と、反射部材と受光センサとを一体に保持する保持部材２３３とを有する検知ユニットと、光源、偏向器、及び検知ユニットが取り付けられる筐体２２０と、を備えた。【選択図】  図５
2014153379.tif 000002
【特許請求の範囲】
【請求項１】
感光体を露光するための光ビームを出射する光源と、
前記光ビームが前記感光体の上を走査するように前記光源から出射された前記光ビームを偏向する偏向器と、
前記感光体の上を走査する前記光ビームの前記光源からの出射タイミングを制御する信号を生成するための検知ユニットであって、前記偏向器により偏向された前記光ビームを反射する反射部材と、前記反射部材により反射された前記光ビームを受光して前記信号を生成する受光センサと、前記反射部材と前記受光センサとを一体に保持する保持部材とを有する検知ユニットと、
前記光源、前記偏向器、及び前記検知ユニットが取り付けられる筐体と、
を備えた光走査装置。
【請求項２】
前記筐体に対する前記検知ユニットの取り付け位置を調整するために前記筐体に対する前記検知ユニットの移動を案内する案内機構を備える請求項１に記載の光走査装置。
【請求項３】
複数の光学素子を備え、前記複数の光学素子を前記偏向器によって偏向された前記光ビームを前記感光体の上に導く走査光学系を備え、
前記反射部材は、前記複数の光学素子のうち少なくとも１つを通過した前記光ビームを反射して前記受光センサへ導く請求項１または２に記載の光走査装置。
【請求項４】
１つの前記検知ユニットが、前記光ビームが前記感光体の上を走査する走査方向において前記感光体の上の静電潜像形成領域よりも上流側を走査する光ビームを前記受光センサが受光するように前記筐体に取り付けられる請求項１から３のいずれか一項に記載の光走査装置。
【請求項５】
１つの前記検知ユニットが、前記光ビームが前記感光体の上を走査する走査方向において前記感光体の上の静電潜像形成領域よりも下流側を走査する光ビームを前記受光センサが受光するように前記筐体に取り付けられる請求項１から３のいずれか一項に記載の光走査装置。
【請求項６】
前記検知ユニットとしての第１の検知ユニットおよび第２の検知ユニットが前記筐体に取り付けられ、前記第１の検知ユニットは、前記光ビームが前記感光体の上を走査する走査方向において前記感光体の上の静電潜像形成領域よりも上流側を走査する光ビームを前記第１の検知ユニットが備える前記受光センサが受光するように前記筐体に取り付けられ、前記第２の検知ユニットは、前記走査方向において前記感光体の上の静電潜像形成領域よりも下流側を走査する光ビームを前記第２の検知ユニットが備える前記受光センサが受光するように前記筐体に取り付けられる請求項１から３のいずれか一項に記載の光走査装置。
【請求項７】
前記検知ユニットは、前記受光センサに入射する前記光ビームの光スポットを整形する結像光学素子を前記受光センサと前記反射部材との間に有し、
前記保持部材は、前記結像光学素子を保持する請求項１から６のいずれか一項に記載の光走査装置。
【請求項８】
前記光源は、前記光ビームを出射する複数の発光部を有し、
前記受光センサは、少なくとも２つの前記発光部から出射された複数の光ビームを検知して、前記光ビームが前記感光体の上を走査する走査方向における前記複数の光ビームの相対位置関係を示す信号を生成する請求項１から７のいずれか一項に記載の光走査装置。
【請求項９】
前記案内機構は、前記筐体に対する前記検知ユニットの移動方向を前記光ビームが前記感光体の上を走査する走査方向に沿う方向に制限する請求項２に記載の光走査装置。
【請求項１０】
前記案内機構は、前記筐体に設けられた突起部、および前記突起部が挿入されて前記突起部と係合する前記保持部材に設けられた溝部を含む請求項２または９に記載の光走査装置。
【請求項１１】
前記案内機構は、前記保持部材に設けられた突起部、および前記突起部が挿入されて前記突起部と係合する前記筐体に設けられた溝部を含む請求項２または９に記載の光走査装置。
【請求項１２】
前記案内機構は、前記筐体に設けられた突起部、および前記突起部と係合する前記保持部材に設けられた突起部を含む請求項２または９に記載の光走査装置。
【請求項１３】
前記案内機構を用いて前記筐体に対する位置が調整された前記検知ユニットを前記筐体に固定する固定手段を有する請求項２、９、１０、１１、または１２のいずれか一項に記載の光走査装置。
【請求項１４】
前記感光体と、
前記感光体の上に静電潜像を形成する請求項１から１３のいずれか一項に記載の光走査装置と、
前記静電潜像をトナーによって現像する現像装置と、
前記感光体の上のトナー像を記録材に転写する転写装置と、
前記記録材に前記トナー像を定着する定着装置と、
を備えた画像形成装置。
【発明の詳細な説明】
【技術分野】
【０００１】
本発明は、光走査装置、及び光走査装置を備えた画像形成装置に関する。
【背景技術】
【０００２】
電子写真複写機および電子写真プリンタなどの電子写真画像形成装置の画像形成部は、レーザ光（以下、光ビームという。）で感光体上を走査する光走査装置を有する。光走査装置は、画像情報に従って変調された光ビームで感光体上を走査し、感光体上に静電潜像を形成する。静電潜像は、現像装置により現像剤でトナー像に現像される。トナー像は、転写装置により記録媒体（以下、記録材という。）に転写される。記録材上のトナー像は、定着装置により記録材上に定着されて画像が形成される。このような電子写真プロセスに従って、電子写真画像形成装置は、記録材上に画像を形成する。
【０００３】
光走査装置は、光源としての半導体レーザと、偏向器（偏向手段）としての回転するポリゴンミラー（以下、回転多面鏡という。）と、レンズ、ミラーなどの光学素子とを有する。偏向器としては、ガルバノミラーを用いることもできる。半導体レーザから出射される光ビームは、コリメータレンズにより略平行な光ビームに変換される。略平行な光ビームは、回転多面鏡により偏向される。偏向された光ビームは、走査系光学素子により、移動する光スポットとして感光体上に結像させられる。光スポットは、回転する感光体の表面上を感光体の回転方向と交差する方向に走査する。
【０００４】
尚、以下の説明において、主走査方向は、偏向器の回転軸に垂直な方向である。主走査方向に関しては、光源から偏向器までの入射光学系と偏向器から感光体までの走査光学系とで光軸の方向が異なる。副走査方向は、結像光学系の光軸と垂直な方向であって、且つ、主走査方向と垂直な方向（偏向器の回転軸（または揺動軸）と平行な方向）である。主走査断面は、走査系光学素子の光軸と主走査方向とを含む平面である。副走査断面は、走査系光学素子の光軸を含み主走査断面に垂直な平面である。
副走査方向の静電潜像（露光分布）の形成は、主走査方向の一走査露光毎に、感光体を副走査方向へ移動（回転）させることによって達成している。
【０００５】
光走査装置は、感光体上に静電潜像を形成するために光ビームが移動する露光領域（以下、画像領域という。）の走査方向上流側に配置されたビーム検知センサ（以下、ＢＤセンサという。）を有する。ＢＤセンサは、光ビームを受光すると、主走査方向における各走査の書き出し位置を同じにするための水平同期信号としてのＢＤ信号を出力する。ＢＤセンサ上を光ビームが通過する際に、ＢＤセンサは、ＢＤ信号を出力する。ＢＤ信号に基づいて、主走査方向における画像の書き出しタイミングが決定される。
【０００６】
近年、ＢＤ信号用の光ビームは、主走査方向において画像領域の上流側端部により近い位置（主走査位置）で検知されることが求められている。
【０００７】
ＢＤセンサによって検知する光ビームを潜像形成領域に近づけ、光ビームの走査範囲を極力狭くすることによって光走査装置を小型化する。光走査装置を小型化することによって画像形成装置を小型化することができる。
【０００８】
また、ＢＤセンサによって検知する光ビームを潜像形成領域に近づけることによって画質を向上させることができる。近年の複写機は、高解像度かつ高生産性を達成するために、光走査装置に、複数の発光部を有する光源を採用している。発光部の数の増加に伴い、複数の発光部からの複数の光ビームの相互間の主走査方向の位置ずれにより画像不良が引き起こされることがある。そこで、複数の光ビームの位置（ドット位置）の間の距離をより高精度に検知して補正する必要がある。また、特に、温度変化に対して膨張収縮や屈折率変化が大きいプラスチックレンズを用いる場合は、複数の光ビームの間の位置ずれが顕著に生じる。
【０００９】
温度変化によるプラスチックレンズの膨張収縮および屈折率変化は、プラスチックレンズの中心よりも両端部付近で顕著に生じる。従って、できるだけプラスチックレンズの中心に近い部分でＢＤ信号を検知することが好ましい。つまり、主走査方向におけるドット位置の測定精度を上げるためには、走査光学系の画像領域により近い位置でＢＤ信号を検知することが重要である。
【００１０】
そこで、ＢＤセンサの位置を調整可能な光走査装置が提案されている。特許文献１は、光ビームのピント位置にあわせてＢＤセンサユニットを円弧状に動かして画像書き出し位置を調整する光走査装置を開示している。
【先行技術文献】
【特許文献】
【００１１】
【特許文献１】特開２００２−３２８３２１号公報
【発明の概要】
【発明が解決しようとする課題】
【００１２】
前述したように、光走査装置の小型化と画像形成位置の高精度化の両立を実現するためには、主走査方向において潜像形成領域により近い位置にＢＤセンサを配置する必要がある。そのために、潜像形成領域の外側で潜像形成領域の端部の近傍にＢＤセンサに光ビームを導くミラーを配置する必要がある。しかし、従来の技術によれば、組み立てられた光走査装置において潜像形成領域の端部を通過する光ビームとミラーとの間の位置関係が設計上の位置関係とずれてしまうことがある。そのため、ミラーが潜像形成領域を走査する光ビームを遮ってしまうという問題がある。
【００１３】
そこで、本発明は、光走査装置の筐体に検知ユニットを取り付けるときに、筐体に対する検知ユニットの位置を容易に調整することができる光走査装置を提供する。
【課題を解決するための手段】
【００１４】
前述の課題を解決するために、本発明による光走査装置は、
感光体を露光するための光ビームを出射する光源と、
前記光ビームが前記感光体の上を走査するように前記光源から出射された前記光ビームを偏向する偏向器と、
前記感光体の上を走査する前記光ビームの前記光源からの出射タイミングを制御する信号を生成するための検知ユニットであって、前記偏向器により偏向された前記光ビームを反射する反射部材と、前記反射部材により反射された前記光ビームを受光して前記信号を生成する受光センサと、前記反射部材と前記受光センサとを一体に保持する保持部材とを有する検知ユニットと、
前記光源、前記偏向器、及び前記検知ユニットが取り付けられる筐体と、
を備えた。
【発明の効果】
【００１５】
本発明によれば、光走査装置の検知ユニットに、偏向器によって偏向された光ビームを反射する反射部材と反射部材によって反射された光ビームを受光する受光センサとを一体に保持する保持部材を備えた。したがって、光走査装置の筐体に、検知ユニットを取り付けるときに、筐体に対する検知ユニットの位置を容易に調整することができる。
【図面の簡単な説明】
【００１６】
【図１】光走査装置を有する電子写真画像形成装置の断面図。
【図２】実施例１の光走査装置を説明する図。
【図３】ＢＤセンサ上に結像される２つの光スポットの相対位置関係を説明する図。
【図４】光ビームとＢＤミラーとの相対位置関係を説明する図。
【図５】光走査装置に設けられたＢＤユニットを示す図。
【図６】ＢＤユニットの位置を調整する方法を説明する図。
【図７】ＢＤユニットの位置を調整する方法を説明する図。
【図８】ＢＤ信号と検知信号を示す図。
【図９】実施例２の光走査装置を説明する図。
【図１０】実施例３の光走査装置を説明する図。
【発明を実施するための形態】
【００１７】
以下に、図面を参照して本発明の実施形態について詳細に説明する。
【実施例１】
【００１８】
（画像形成装置）
図１は、光走査装置１（１Ｙ、１Ｍ、１Ｃ、１Ｋ）を有する電子写真画像形成装置（以下、画像形成装置という。）１０の断面図である。本実施例において、画像形成装置１０は、複数色のトナーを用いて画像形成するデジタルフルカラープリンターである。まず、図１を用いて、本実施例の画像形成装置１０を説明する。
【００１９】
画像形成装置１０は、４つの画像形成部１１（１１Ｙ、１１Ｍ、１１Ｃ、１１Ｋ）を有する。画像形成部１１Ｙは、イエロートナーを用いてイエロー画像を形成する。画像形成部１１Ｍは、マゼンタトナーを用いてマゼンタ画像を形成する。画像形成部１１Ｃは、シアントナーを用いてシアン画像を形成する。画像形成部１１Ｋは、ブラックトナーを用いてブラック画像を形成する。４つの画像形成部１１は、現像剤（トナー）の色を除いて同一の構造を有するので、特に必要な場合を除き、以下の説明では、参照符号から添字Ｙ、Ｍ、Ｃ、Ｋを省略する。
【００２０】
画像形成部１１は、感光体としての感光ドラム（像担持体）２を有する。感光ドラム２の周りには、帯電装置３、光走査装置１、現像装置５、一次転写装置６、およびドラムクリーニング装置４が配置されている。感光ドラム２の下方には、無端状の中間転写ベルト（中間転写体）７が配置されている。
【００２１】
中間転写ベルト７は、駆動ローラ６２と、２つの従動ローラ６３および６５とに張架されている。中間転写ベルト７は、画像形成の際に図１の矢印Ｄで示す方向に回転する。一次転写装置６は、中間転写ベルト７を介して感光ドラム２に対向して配置されている。一次転写装置６は、感光ドラム２上のトナー像を中間転写ベルト７へ転写させる。
【００２２】
中間転写ベルト７の近傍には、中間転写ベルト７上に転写された所定の画像パターンを読み取るパターンセンサ（色ずれ検知装置）１１３が設けられている。パターンセンサ１１３は、各色の所定の画像パターンを読み取り、中間転写ベルト７上に転写される各色のトナー像のずれ量を検知する。
二次転写ローラ（二次転写部材）６６は、中間転写ベルト７を介して従動ローラ６５に対向して配置されている。
【００２３】
画像形成装置１０の下部には、記録材Ｓを収容した給紙カセット７８および７９が配置されている。また、画像形成装置１０の側部には、手差しトレイ７０が配置されている。記録材Ｓは、給紙カセット７８、給紙カセット７９、または手差しトレイ７０からそれぞれのピックアップローラ７１により給送される。記録材Ｓは、搬送ローラ７２およびレジストレーションローラ７３により二次転写ローラ６６へ搬送される。
【００２４】
定着装置７４は、記録材Ｓの搬送方向において二次転写ローラ６６の下流側に配置されている。記録材Ｓの搬送方向において定着装置７４の下流側には、画像が形成された記録材Ｓを積載する排出トレイ７７が設けられている。
【００２５】
（画像形成プロセス）
次に、画像形成装置１０の画像形成プロセスを説明する。４つの画像形成部１１における画像形成プロセスは同一であるので、イエロー画像形成部１１Ｙにおける画像形成プロセスを説明する。マゼンタ画像形成部１１Ｍ、シアン画像形成部１１Ｃ、およびブラック画像形成部１１Ｋにおける画像形成プロセスの説明は、省略する。
【００２６】
帯電装置３Ｙは、感光ドラム２Ｙの表面を均一に帯電する。光走査装置１Ｙは、イエロー成分の画像情報に従って変調された光ビームを、均一に帯電された感光ドラム２Ｙの表面に照射し、感光ドラム２Ｙ上に静電潜像を形成する。現像装置５Ｙは、イエロートナー（現像剤）により静電潜像を現像してイエロートナー像とする。一次転写装置６Ｙは、感光ドラム２上のイエロートナー像を中間転写ベルト７上に一次転写する。一次転写の後に感光ドラム２上に残ったトナーは、ドラムクリーニング装置４によって除去され、感光ドラム２は、次の画像形成に備える。
【００２７】
同様にして、マゼンタ画像形成部１１Ｍにより形成されたマゼンタトナー像は、中間転写ベルト７上のイエロートナー像の上に精度よく重ねて転写される。以下、シアントナー像およびブラックトナー像が、中間転写ベルト７上のマゼンタトナー像の上に順次重ねて転写される。その結果、中間転写ベルト７上に４色のトナー像が重ね合わされる。
【００２８】
給紙カセット７８、７９、または手差しトレイ７０から搬送された記録材Ｓは、レジストレーションローラ７３により中間転写ベルト７上のトナー像とタイミングを合わせて二次転写ローラ６６へ搬送される。中間転写ベルト７上に重ね合わされた４色のトナー像は、二次転写ローラ６６により一括して記録材Ｓ上に二次転写される。
【００２９】
トナー像が転写された記録材Ｓは、定着装置７４へ搬送される。定着装置７４は、記録材Ｓを加熱および加圧してトナー像を記録材Ｓに定着させる。このようにして画像が形成された記録材Ｓは、排紙トレイ７７上へ排出される。
【００３０】
（色ずれ検知装置）
前述したように、中間転写ベルト７の近傍には、色ずれ検知装置としてのパターンセンサ１１３が設けられている。パターンセンサ１１３は、各画像形成部１１により中間転写ベルト７上に形成される各色の所定の画像パターン（色ずれ検知用パターン画像）を読み取り、中間転写ベルト７上における各色のトナー像のずれ量を検知する。２つのパターンセンサ１１３は、図１に示す中間転写ベルト７の回転方向Ｄに略垂直な方向における奥側と手前側とに配置されている。２つのパターンセンサ１１３は、同様の構造を有する。
【００３１】
２つのパターンセンサ１１３は、画像形成装置１０に設けられたＣＰＵ７５に電気的に接続されている。ＣＰＵ７５は、パターンセンサ１１３に各色の所定の画像パターンを検知させる。これによって、ＣＰＵ７５は、各画像形成部１１で形成された各色の画像の中間転写ベルト７上におけるずれ量を検知する。ＣＰＵ７５は、ずれ量を補正するために、光走査装置１から出射される光ビームのタイミングを制御する。
【００３２】
（光走査装置）
次に、図２を用いて光走査装置１を説明する。図２は、実施例１の光走査装置１を説明する図である。図２（ａ）は、感光ドラム２と、感光ドラム２に光ビームを照射する光走査装置１とを模式的に示す斜視図である。図２（ｂ）は、複数の光ビームを出射する複数の発光部ｅ１〜ｅ３６を有する光源２１９を示す図である。なお、４つの光走査装置１Ｙ、１Ｍ、１Ｃ、および１Ｋは、同様の構造を有するので、以下の説明においては、添え字Ｙ、Ｍ、Ｃ、Ｋを省略する。
【００３３】
光走査装置１は、光ビームを出射する半導体レーザ（以下、光源という。）２１９、偏向器（偏向手段）としての回転するポリゴンミラー（以下、回転多面鏡という。）２１１、およびレンズとミラーなどの光学素子（光学部材）を有する。光源２１９、回転多面鏡２１１、およびレンズとミラーなどの光学素子は、光走査装置１の外枠としての光学ハウジング（以下、筐体という。）２２０に収容されている。光源２１９から出射された光ビームは、その光路上に配置された光ビームを平行光に変換させるコリメータレンズ２１８、副走査方向に所定の屈折力を有するシリンドリカルレンズ２１７を通過して、回転多面鏡２１１に到達する。回転多面鏡２１１は、感光ドラム２上を光ビームが走査するように光ビームを偏向する。偏向された光ビームは、トーリックレンズ（走査系光学素子）２１２および結像レンズ（走査系光学素子）２１５を通過して、感光ドラム２上を移動する光スポットとして感光ドラム２上に結像させられる。
【００３４】
感光ドラム２上を光ビームが走査する方向を「主走査方向」と呼び、「Ｙ軸方向」と定義し、Ｙ軸に直交して、感光ドラム２が回転する方向を「副走査方向」と呼び、「Ｚ軸方向」と定義する。
【００３５】
また、光ビームの移動方向の上流側（以下、走査開始側という。）における結像レンズ２１５と感光ドラム２の間には、ＢＤミラー（反射部材）２３１とＢＤセンサ（受光センサ）２３２が配設されている。回転多面鏡２１１により偏向された光ビームのうち、走査開始側の光ビームは、ＢＤミラー２３１によって反射され、ＢＤセンサ２３２に入射する。ここで、ＢＤセンサ２３２は、１走査中の画像信号に基づく光ビームの出射タイミング（特に、主走査方向の静電潜像の書き出し開始タイミング）を制御するための信号を生成し、光ビームの入射に応じて当該信号を出力する水平同期検知センサとして機能する。画像信号に基づき変調された光ビームは、ＢＤセンサ２３２の信号（以下、ＢＤ信号という。）に基づいて主走査方向の書き出し開始タイミングに同期して、光源２１９から出射される。
【００３６】
本実施例において、ＢＤミラー２３１の反射面は、主走査方向に平行な平面内に設けられている。しかし、実施の形態は、これに限定されるものではなく、ＢＤミラー２３１の反射面は、主走査方向に平行な平面に対して傾斜した平面内に配置されていてもよい。
【００３７】
（光源）
光源２１９は、図２（ｂ）に示すように複数の光ビームを出射する複数の発光部ｅ１〜ｅ３６を有する。光源２１９は、複数の面発光構造の半導体レーザを二次元に配置したマルチビーム光源である。光源２１９の発光部ｅ１〜ｅ３６は、感光ドラム２の表面（走査面）の上を走査する複数の光ビームが副走査方向Ｚに等間隔になるように配置されている。本実施例において、発光部ｅ１〜ｅ３６の数は、３６個である。複数の発光部ｅ１〜ｅ３６の配列は、図２（ｂ）に示す配列に限らず、他の配列であってもよい。例えば、実施の形態は、複数の発光部が1列に配列された光源でもよい。発光部同士のクロストークを防止する観点から、隣り合う発光部は、所定距離以上離して配置されている。副走査方向Ｚにおける発光部間の距離は、画像形成装置１０の解像度と光学系の副走査方向Ｚの倍率とによって決まる。
なお、光源２１９は、図２（ｂ）に示す構造に限定されるものではなく、単一の光ビームを出射する単一の発光部を有していてもよい。
【００３８】
（複数の光スポットの位置の測定）
図３は、ＢＤセンサ２３２上に結像される２つの光スポットの相対位置関係を説明する図である。光走査装置１の光源２１９の複数の発光部ｅ１〜ｅ３６のうちの２つの発光部から出射された２つの光ビームは、ＢＤセンサ２３２上に結像する。ここで、一方の光ビームのＢＤセンサ２３２上の光スポットをＬＤ−Ａとし、他方の光ビームのＢＤセンサ２３２上の光スポットをＬＤ−Ｂとする。光スポットＬＤ−ＡおよびＬＤ−Ｂの形状は、後述するＢＤレンズ２３４によって、図３（ａ）に示すように副走査方向Ｚに長い楕円形状にされている。
【００３９】
主走査方向に走査される２つの光ビームにより形成される光スポットＬＤ−ＡおよびＬＤ−Ｂは、図３（ａ）において、矢印Ｅで示すＢＤセンサ２３２上及びその上流側及び下流側を走査する光ビームの走査方向に走査速度Ｖで移動する。光スポットＬＤ−Ａは、ＢＤセンサ２３２のＢＤセンサ面２３２ａ上を経路Ａに沿って移動する。光スポットＬＤ−Ｂは、ＢＤセンサ面２３２ａ上を経路Ｂに沿って移動する。複数の発光部ｅ１〜ｅ３６は、隣接する発光部の間の副走査方向Ｚにおける距離が短くなるように、主走査方向Ｙにずらして光源２１９上に配置されている。そのため、光スポットＬＤ−ＡとＬＤ−Ｂは、図３（ａ）に示すように、ＢＤ走査方向Ｅにおいて距離Ｌだけ離れている。
【００４０】
図３（ｂ）は、ＢＤセンサ２３２から出力されるＢＤ信号の電圧レベルの変化を時間に対して示す図である。光スポットＬＤ−ＡとＬＤ−Ｂが走査速度ＶでＢＤセンサ面２３２ａ上を通過するときに、図３（ｂ）に示すように、光スポットＬＤ−ＡによってＢＤ信号ＢＤＳ−Ａが生成され、光スポットＬＤ−ＢによってＢＤ信号ＢＤＳ−Ｂが生成される。
【００４１】
光スポットＬＤ−Ａによる画像の書き出しタイミングは、光スポットＬＤ−Ａによって生成されるＢＤ信号ＢＤＳ−Ａの立ち上がりＲＥ−Ａと閾値Ｖｔｈとが交わるタイミングｔ１を基準に制御される。また、光スポットＬＤ−Ｂによる画像の書き出しタイミングは、光スポットＬＤ−Ｂによって生成されるＢＤ信号ＢＤＳ−Ｂの立ち上がりＲＥ−Ｂと閾値Ｖｔｈとが交わるタイミングｔ２を基準に制御される。
【００４２】
光スポットＬＤ−Ａによって生成されるＢＤ信号ＢＤＳ−Ａと光スポットＬＤ−Ｂによって生成されるＢＤ信号ＢＤＳ−Ｂとの間には、時間差Δｔがある。時間差Δｔは、光スポットＬＤ−Ａによって生成されるＢＤ信号ＢＤＳ−Ａのタイミングｔ１と、光スポットＬＤ−Ｂによって生成されるＢＤ信号ＢＤＳ−Ｂのタイミングｔ２との差である。時間差Δｔから光スポットＬＤ−Ａと光スポットＬＤ−Ｂとの間の距離Ｌを求める。
【００４３】
光走査装置１内の温度上昇によりトーリックレンズ２１２および結像レンズ２１５は、膨張し、また屈折率変化を生じる。従って、主走査方向における複数の光スポットの位置の測定精度を上げるためには、走査光学系の画像領域により近い位置でＢＤ信号を検知することが重要である。
【００４４】
（光ビームとＢＤミラーとの位置関係）
図４を参照して、主走査方向Ｙにおける画像領域ＩＡ（静電潜像形成領域）の上流側端部（以下、書き始め側画像端部という。）を通過する光ビームＥＢとＢＤミラー２３１との相対位置関係を説明する。図４は、光ビームＥＢとＢＤミラー２３１との相対位置関係を説明する図である。ここで、画像領域ＩＡは、感光ドラム２上に静電潜像を形成するために光ビームが移動する露光領域である。
ＢＤミラー２３１は、走査開始側の画像領域ＩＡの端部の近傍で画像領域ＩＡの外側に設けられている。
【００４５】
図４（ａ）は、画像領域ＩＡの書き始め側の画像端部に対応する光ビームＥＢがＢＤミラー２３１の近傍の称呼位置ＮＰを通過する場合を示す図である。称呼位置ＮＰは、規格で定められた位置、すなわち設計図面上の位置である。称呼位置ＮＰは、ＢＤミラー２３１から所定の距離（隙間）Ｓだけ離れた位置に設定されている。光ビームＥＢがＢＤミラー２３１の近傍の称呼位置ＮＰを通過するように設計されている。
【００４６】
光ビームＥＢが称呼位置ＮＰを通過する場合、光ビームＥＢとＢＤミラー２３１との間に所定の距離（隙間）Ｓが確保されているので、画像領域ＩＡを走査する光ビームＲＢは、ＢＤミラー２３１によって遮られずに、感光ドラム２に到達して静電潜像を形成する。
【００４７】
一方、図４（ｂ）は、画像領域ＩＡの書き始め側の画像端部に対応する光ビームＥＢがＢＤミラー２３１の近傍の称呼位置ＮＰから主走査方向Ｙの上流側へΔＳだけずれた場合を示す図である。この場合、光ビームＥＢとＢＤミラー２３１との間に所定の距離Ｓを確保することができないので、画像領域ＩＡを走査する光ビームＲＢの一部は、ＢＤミラー２３１によって遮られるため、感光ドラム２に到達できず、感光ドラム２上に静電潜像を形成できない。よって、画像不良を生じる。
【００４８】
図４（ｂ）に示すような光ビームＥＢの称呼位置ＮＰからのずれは、光源から出射される光ビームの波長のバラツキや、トーリックレンズ２１２および結像レンズ２１５の取り付け位置のバラツキによって、発生する。したがって、光ビームＥＢの位置は、光走査装置１ごとに異なることがある。
そこで、光ビームＥＢとＢＤミラー２３１との間の相対位置を調整する必要がある。
【００４９】
（ＢＤユニット）
図５は、光走査装置１に設けられたＢＤユニット（検知ユニット）２３０を示す図である。図５（ａ）は、ＢＤミラー２３１の位置を調整するために光走査装置１に移動可能に設けられたＢＤユニット２３０の斜視図である。図５（ｂ）は、画像領域ＩＡの書き始め側の画像端部に対応する光ビームＥＢが称呼位置ＮＰを通るように適切な位置に配置されたＢＤユニット２３０を示す図である。図５を用いて、実施例１によるＢＤユニット２３０を説明する。
【００５０】
主走査方向Ｙにおけるドット位置の測定精度を上げるためには、走査光学系の主走査方向Ｙにおいて画像領域ＩＡの上流側端部により近い位置（主走査位置）で光ビームを検知することが重要である。そこで、画像領域ＩＡにより近い位置で光ビームを検知することができるように、ＢＤセンサ２３２を有するＢＤユニット２３０が光走査装置１の筐体２２０に配置されている。実施例１においては、ＢＤユニット２３０は、主走査方向Ｙにおける画像領域ＩＡの書き始め側の画像端部の近傍、すなわち、主走査方向Ｙにおける静電潜像の書き始め側に配置されている。
【００５１】
本実施例において、ＢＤユニット２３０は、ＢＤミラー２３１、ＢＤセンサ２３２、ＢＤレンズ２３４、およびＢＤ保持部材２３３を有する。ＢＤ保持部材２３３は、ＢＤミラー２３１、ＢＤセンサ２３２、およびＢＤレンズ２３４を一体に保持する。しかし、ＢＤユニット２３０は、ＢＤレンズ２３４を含んでいなくてもよい。
【００５２】
ＢＤ保持部材２３３は、筐体２２０よりも寸法が小さいので、ＢＤセンサ２３２とＢＤミラー２３１が直接筐体２２０に取り付けられる場合と比べて、ＢＤセンサ２３２とＢＤミラー２３１との間の相対位置関係をより精度高く保証することができる。
【００５３】
ＢＤレンズ（結像光学素子）２３４は、ＢＤセンサ２３２上に光ビームを結像させるために、ＢＤミラー２３１とＢＤセンサ２３２との間に配置されている。ＢＤレンズ２３４は、ＢＤセンサ２３２上に結像される光スポットの形状を、図３（ａ）に示すように、楕円形状に整形（変更）する。本実施例のＢＤユニット２３０は、ＢＤレンズ２３４を含んでいるが、ＢＤレンズ２３４を省略してもよい。あるいは、ＢＤレンズ２３４をＢＤユニット２３０以外の部分に配置してもよい。
【００５４】
ＢＤミラー２３１およびＢＤレンズ２３４は、ＢＤ保持部材２３３に設けられた位置決め基準部２３３ａおよび２３３ｂにそれぞれ当接して位置決めされる。位置決め基準２３３ａは、ＢＤミラー２３１上を走査する光ビームの走査方向におけるＢＤミラー２３１の位置決めをする。また、位置決め基準２３３ｂは、ＢＤレンズ２３４の光軸方向にＢＤレンズ２３４の位置決めをする。位置決め後に、ＢＤミラー２３１およびＢＤレンズ２３４は、ＢＤ保持部材２３３に接着剤で固定される。ＢＤセンサ２３２は、基板２３５に保持されている。ＢＤセンサ２３２は、ＢＤ保持部材２３３に設けられた位置決め基準部２３３ｃに基板２３５を当接させることにより位置決めされる。位置決め基準部２３３ｃは、ＢＤレンズ２３４の光軸方向におけるＢＤセンサ２３２の位置決めをする。基板２３５は、位置決め基準部２３３ｃにねじ２３６により固定される。
【００５５】
しかし、ＢＤミラー２３１、ＢＤレンズ２３４、および基板２３５の固定方法は、上記した接着剤による接着またはねじによる締結に限らず、付勢部材による付勢など他の固定方法であってもよい。
【００５６】
ＢＤミラー２３１、ＢＤセンサ２３２、およびＢＤレンズ２３４は、ＢＤ保持部材２３３によって一体的に保持されているので、ＢＤミラー２３１、ＢＤセンサ２３２、およびＢＤレンズ２３４の間の相対位置関係を精度高く保持することができる。
【００５７】
ＢＤ保持部材２３３には、主走査方向Ｙに延在する複数（本実施例において２つ）の長孔２３７が形成されている。筐体２２０には、複数（本実施例において２つ）の突起部２２１が設けられている。筐体２２０の複数の突起部２２１は、ＢＤ保持部材２３３の複数の長孔（溝部）２３７にそれぞれ挿入されている。複数の突起部２２１と複数の長孔２３７との係合により、工場での装置組み立て時におけるＢＤ保持部材２３３の位置調整の際に、ＢＤ保持部材２３３は、主走査方向Ｙに垂直な方向への移動が規制される。また、工場での装置組み立て時におけるＢＤ保持部材２３３の位置調整の際に、ＢＤ保持部材２３３は、筐体２２０に対して主走査方向Ｙに移動可能である。
【００５８】
複数の突起部２２１と複数の長孔２３７とは、ＢＤセンサ２３２およびＢＤミラー２３１が一体に設けられたＢＤユニット２３０を主走査方向Ｙに直線的に移動させるための案内機構として機能する。
【００５９】
このように、保持ＢＤユニット２３０の移動方向を制限する複数の突起部２２１と複数の長孔２３７とは、主走査方向Ｙにおいて筐体２２０に対するＢＤ保持部材２３３の位置を調整するための調整機構（調整手段）２３９として機能する。調整機構２３９は、筐体２２０に対するＢＤユニット２３０の取り付け位置を調整するために、ＢＤユニット２３０の主走査方向Ｙに沿った移動を許容する。
【００６０】
ＢＤセンサ２３２およびＢＤミラー２３１は、ＢＤユニット２３０に一体に設けられているので、ＢＤセンサ２３２およびＢＤミラー２３１を一体として主走査方向Ｙに移動してＢＤセンサ２３２の位置を調整することができる。また、ＢＤセンサ２３２およびＢＤミラー２３１は、ＢＤユニット２３０に一体に設けられているので、ＢＤセンサ２３２の位置を調整するときに、ＢＤセンサ２３２とＢＤミラー２３１と間の相対位置を調整する必要がない。
【００６１】
ＢＤミラー２３１の位置を調整するために、ＢＤユニット２３０は、調整機構２３９により筐体２２０に対して主走査方向Ｙに移動可能である。調整機構２３９により主走査方向ＹにおけるＢＤ保持部材２３３の位置を調整した後に、ＢＤ保持部材２３３は、ねじ２３８により筐体２２０に対して固定される。
【００６２】
尚、筐体２２０に対するＢＤ保持部材２３３の位置の調整は、主走査方向Ｙのみに限定するものではない。例えば、主走査方向Ｙおよび副走査方向Ｚに垂直なＸ軸方向において筐体２２０に対するＢＤ保持部材２３３の位置を調整するための調整機構を設けてもよい。
【００６３】
本実施例において、調整機構２３９は、筐体２２０に設けられた複数の突起部２２１とＢＤ保持部材２３３に設けられた複数の長孔２３７とからなるが、実施の形態は、これに限定されるものではない。調整機構は、筐体２２０に設けられた複数の長孔と、複数の長孔に挿入されるＢＤ保持部材２３３に設けられた複数の突起部とからなっていてもよい。また、調整機構は、筐体２２０に設けられた主走査方向Ｙに延在する直線状突起部（案内機構）と、ＢＤ保持部材２２３に設けられ直線状突起部に係合する主走査方向Ｙに延在する直線状溝部（案内機構）とからなってもよい。直線状突起部がＢＤ保持部材２２３に設けられ、直線状溝部が筐体２２０に設けられていてもよい。あるいは、調整機構は、筐体２２０に設けられた主走査方向Ｙに延在する複数の直線状突起部（案内機構）と、筐体２２０の複数の直線状突起部とそれぞれ係合するＢＤ保持部材２２３に設けられた複数の直線状突起部（案内機構）とからなってもよい。
【００６４】
図５（ｂ）に示すように、画像領域ＩＡの書き始め側画像端部を通る光ビームＥＢは、ＢＤミラー２３１から所定の距離Ｓだけ離れた称呼位置ＮＰを通る。光ビームＥＢとＢＤミラー２３１との間の所定の距離Ｓは、画像形成装置１０の本体１００内や光走査装置１内の温度上昇による光学素子の倍率変化を考慮した適正距離である。
【００６５】
本実施例において、ＢＤユニット２３０は、図２（ａ）に示すように、結像レンズ２１５の射出側の光ビームの光路上に配置されている。しかし、ＢＤユニット２３０の位置は、これに限定されず、例えば、トーリックレンズ２１２と結像レンズ２１５との間の光ビームの光路上に配置されていてもよい。すなわち、ＢＤユニット２３０は、複数の走査系光学素子のうちの少なくとも１つを通過した光ビームを検出することができる位置に配置されていればよい。
【００６６】
（ＢＤユニット位置調整方法）
次に、図６および図７を用いて、ＢＤユニット２３０の位置を調整する方法を説明する。図６（ａ）および図７（ａ）は、ＢＤユニット２３０の位置を調整する前の状態を示す図である。図６（ｂ）および図７（ｂ）は、ＢＤユニット２３０の位置を調整した後の状態を示す図である。
ＢＤユニット２３０の位置調整は、ＢＤ信号のタイミングＴ１と書き始め側画像端部を光ビームが通過するタイミングＴ２との時間差ΔＴを目標時間差ΔＴtargetにするように行う。
【００６７】
光ビームの波長や結像レンズ２１５の屈折率は、光走査装置ごとに微小に異なる。そのため、ＢＤミラー２３１に対するＢＤミラー２３１の近傍の光ビームＥＢの位置は、光走査装置ごとにバラツキがある。図６（ａ）は、ＢＤミラー２３１に対する称呼位置ＮＰよりも主走査方向Ｙにおいて上流側にある光ビームＥＢを示す図である。図７（ａ）は、ＢＤミラー２３１に対する称呼位置ＮＰよりも主走査方向Ｙにおいて下流側にある光ビームＥＢを示す図である。
ＢＤユニット２３０の位置調整は、組立治具２５２に設けられた画像端部位置検知センサ２５１を用いて行う。
【００６８】
まず、画像端部位置検知センサ２５１を組立治具２５２により主走査方向Ｙに移動させて、画像領域ＩＡの書き始め側画像端部に対応する光ビームＥＢを検出することができる位置（以下、書き始め側画像端部位置という。）Ｐ０を求める。
そして、画像端部位置検知センサ２５１を組立治具２５２により書き始め側画像端部位置Ｐ０に配置する。画像端部位置検知センサ２５１は、光ビームＥＢを受光すると、図８に示すように検知信号ＤＳを生成する。図８は、ＢＤセンサ２３２が生成するＢＤ信号ＢＤＳ−Ｄと画像端部位置検知センサ２５１が生成する検知信号ＤＳとを合成した信号である。
【００６９】
装置組み立て時には、図８に示す信号を合成し、当該合成した信号を参照してＢＤユニット２３０の位置を調整する。まず、図８に示すように、ＢＤセンサ２３２により生成されるＢＤ信号ＢＤＳ−Ｄの立ち上がりＲＥ−Ｄと閾値Ｖｔｈとが交わるタイミングＴ１を求める。また、画像端部位置検知センサ２５１により生成される検知信号ＤＳの立ち上がりＲＥ−Ｅと閾値Ｖｔｈとが交わるタイミングＴ２を求める。そして、タイミングＴ１とタイミングＴ２との間の時間差ΔＴを求める。
【００７０】
時間差ΔＴが目標時間差ΔＴtargetになるように、ＢＤユニット２３０を調整機構２３９により主走査方向Ｙに沿って移動させて、ＢＤユニット２３０の位置を決定する。目標時間差ΔＴtargetは、画像形成装置１０の本体１００内や光走査装置１内の温度上昇による光学素子の倍率変化を考慮して、称呼位置ＮＰの理論的最小距離Ｓminにマージンを加えた所定の距離Ｓが得られる値に設定されている。
決定した位置において、ＢＤユニット２３０をねじ（固定手段）２３８により筐体２２０に固定する。固定手段は、ねじ２３８に限らず、接着剤または付勢部材によりＢＤユニット２３０を筐体２２０に固定してもよい。
【００７１】
ＢＤミラー２３１は、ＢＤ保持部材２３３を介してＢＤセンサ２３２に対して精度よく位置決めされている。したがって、ＢＤセンサ２３２により生成されるＢＤ信号ＢＤＳ−ＤのタイミングＴ１を基に、ＢＤユニット２３０の位置を調整することで、光ビームＥＢに対するＢＤミラー２３１の位置を精度よく決めることができる。
【００７２】
例えば、図６（ａ）に示すように光ビームＥＢがＢＤミラー２３１に対する称呼位置ＮＰよりも主走査方向Ｙにおいて上流側にある場合、光ビームＥＢとＢＤミラー２３１との間の距離が所定の距離Ｓよりも小さい。図６（ａ）に示す場合、ＢＤ信号ＢＤＳ−Ｄと検知信号ＤＳとの時間差ΔＴは、目標時間差ΔＴtargetよりも小さい。特に、図６（ａ）においては、ＢＤミラー２３１が光ビームＥＢに干渉しているので、画像にケラレが発生する。図６（ｂ）に示すように、ＢＤユニット２３０を調整機構２３９により主走査方向Ｙにおける上流側へ移動させることにより、時間差ΔＴを増大して時間差ΔＴを目標時間差ΔＴtargetに近づける。ＢＤセンサ２３２により生成されるＢＤ信号ＢＤＳ−Ｄと画像端部位置検知センサ２５１により生成される検知信号ＤＳとの時間差ΔＴが目標時間差ΔＴtargetになるように、ＢＤユニット２３０の位置を決定する。図６（ｂ）に示す決定した位置Ｐ１にＢＤユニット２３０を配置することにより、光ビームＥＢは、ＢＤミラー２３１からから所定の距離Ｓだけ離れた称呼位置ＮＰを通る。
【００７３】
また、図７（ａ）に示すように光ビームＥＢがＢＤミラー２３１に対する称呼位置ＮＰよりも主走査方向Ｙにおいて下流側にある場合、光ビームＥＢとＢＤミラー２３１との間の距離が所定の距離Ｓよりも大きい。図７（ａ）に示す場合、ＢＤ信号ＢＤＳ−Ｄと検知信号ＤＳとの時間差ΔＴは、目標時間差ΔＴtargetよりも大きい。図７（ｂ）に示すように、ＢＤユニット２３０を調整機構２３９により主走査方向Ｙにおける下流側へ移動させることにより、時間差ΔＴを減少させて時間差ΔＴを目標時間差ΔＴtargetに近づける。ＢＤセンサ２３２により生成されるＢＤ信号ＢＤＳ−Ｄと画像端部位置検知センサ２５１により生成される検知信号ＤＳとの時間差ΔＴが目標時間差ΔＴtargetになるように、ＢＤユニット２３０の位置を決定する。図７（ｂ）に示す決定した位置Ｐ２にＢＤユニット２３０を配置することにより、光ビームＥＢは、ＢＤミラー２３１からから所定の距離Ｓだけ離れた称呼位置ＮＰを通る。
【００７４】
本実施例によれば、ＢＤユニット２３０を主走査方向Ｙに移動させることにより、光ビームＥＢとＢＤミラー２３１との間の距離（クリアランス）を適正な値に調整することができる。ＢＤユニット２３０の位置を調整したのちに、ＢＤユニット２３０をねじ（固定手段）２３８により筐体２２０に固定することができる。
【００７５】
本実施例によれば、ＢＤセンサ２３２とＢＤミラー２３１を主走査方向Ｙに一体に移動させることによって、画像端部位置検知センサ２５１が生成する検知信号ＤＳの生成タイミングに対するＢＤ信号ＢＤＳ−Ｄの生成タイミングを調整する。この調整により、ＢＤ信号ＢＤＳ−Ｄと光ビームＥＢの検知信号ＤＳとの時間差ΔＴを調整する。このようにして、光ビームＥＢとＢＤミラー２３１との間の所定の距離Ｓを精度よく設定することができる。したがって、走査光学系の画像領域により近い位置を走査する光ビームをＢＤセンサ２３２によって検知できるように調整することができる。それによって、光走査装置１の小型化とＢＤ検知の高精度化ならびにＢＤ信号検知の安定化と調整の容易化を可能とする。
【実施例２】
【００７６】
次に、図９を用いて、実施例２による光走査装置１０１を説明する。実施例２において、実施例１と同様の構成には同様の参照符号を付して説明を省略する。
図９（ａ）は、実施例２による光走査装置１０１の斜視図である。図９（ｂ）は、画像領域ＩＡの書き終わり側画像端部を通る光ビームＥＢENDが称呼位置ＮＰを通るように適切な位置に配置されたＢＤユニット２４０を示す図である。
【００７７】
実施例２は、画像領域ＩＡの主走査方向Ｙにおける下流側端部（以下、書き終わり側画像端部という。）の近傍のみにＢＤユニット２４０を配置する点で実施例１と異なる。
回転多面鏡２１１による偏向終了側（以下、走査終了側という。）で結像レンズ２１５と感光ドラム２の間には、ＢＤミラー（反射部材）２４１とＢＤセンサ（検知器）２４２が配設されている。
【００７８】
実施例２において、ＢＤミラー２４１は、走査終了側の画像領域ＩＡの端部の近傍で画像領域ＩＡの外側に設けられている。
実施例２において、ＢＤユニット２４０は、主走査方向Ｙにおける画像領域ＩＡの書き終わり側画像端部の近傍、すなわち、主走査方向Ｙにおける静電潜像の書き終わり側に配置されている。
【００７９】
ＢＤユニット２４０は、ＢＤミラー２４１、ＢＤセンサ２４２、ＢＤレンズ２４４、およびＢＤ保持部材２４３を有する。ＢＤ保持部材２４３は、ＢＤミラー２４１、ＢＤセンサ２４２、およびＢＤレンズ２４４を一体に保持する。しかし、ＢＤユニット２４０は、ＢＤレンズ２４４を含んでいなくてもよい。
【００８０】
実施例１と同様に、ＢＤミラー２４１の位置を調整するために、ＢＤユニット２４０は、調整機構２４９により光走査装置１０１の筐体２２０に対して主走査方向Ｙに移動可能である。調整機構２４９は、ＢＤセンサ２４２およびＢＤミラー２４１が一体に設けられたＢＤユニット２４０を主走査方向Ｙに直線的に移動させるための案内機構としての複数の突起部２４５と複数の長孔２４７を有する。
【００８１】
実施例２おいて、ＢＤユニット２４０は、図９（ａ）に示すように、結像レンズ２１５の射出側の光ビームの光路上に配置されている。しかし、ＢＤユニット２４０の位置は、これに限定されず、例えば、トーリックレンズ２１２と結像レンズ２１５との間の光ビームの光路上に配置されていてもよい。
【００８２】
（書き終わり側ＢＤユニット位置調整方法）
書き終わり側ＢＤユニット２４０の位置を調整する方法は、基本的に、実施例１のＢＤユニット２３０とほぼ同様である。
ＢＤユニット２４０の位置調整は、書き終わり側画像端部を光ビームが通過するタイミングＴ３とＢＤ信号のタイミングＴ４との時間差ΔＴを目標時間差ΔＴtargetにするように行う。
【００８３】
実施例１と同様に、画像端部位置検知センサ２５１を組立治具２５２により主走査方向Ｙに移動させて、画像領域ＩＡの書き終わり側画像端部を通過する光ビームＥＢENDを検出することができる位置（以下、書き終わり側画像端部位置という。）Ｐ０ENDを求める。
【００８４】
そして、画像端部位置検知センサ２５１を組立治具２５２により書き終わり側画像端部位置Ｐ０ENDに配置する。画像端部位置検知センサ２５１は、光ビームＥＢENDを受光すると、図９（ｃ）に示すように検知信号ＤＳENDを生成する。
次に、ＢＤユニット２４０を調整機構２４９により主走査方向Ｙに沿って移動させながら、ＢＤセンサ２４２により生成されるＢＤ信号ＢＤＳ−Ｅを検出する。
【００８５】
検知信号ＤＳENDのタイミングＴ３とＢＤ信号ＢＤＳ−ＥのタイミングＴ４との間の時間差ΔＴが目標時間差ΔＴtargetになるように、ＢＤユニット２４０を調整機構２４９により主走査方向Ｙに沿って移動させて、ＢＤユニット２４０の位置を決定する。決定した位置において、ＢＤユニット２４０をねじ（固定手段）２４８により筐体２２０に固定する。
【００８６】
尚、書き終わり側の目標時間差ΔＴtargetも実施例１と同様に、温度変化による光学素子の倍率変化を考慮して、称呼位置ＮＰの理論的最小距離Ｓminにマージンを加えた所定の距離Ｓが得られる値に設定されている。
【００８７】
実施例２によれば、実施例１と同様にＢＤユニット２４０を主走査方向Ｙに移動させることにより、光ビームＥＢENDとＢＤミラー２４１との間の距離（クリアランス）を適正な値に調整することができる。
これによって、実施例２は、実施例１と同様の効果を奏する。
【実施例３】
【００８８】
次に、図１０を用いて、実施例３による光走査装置２０１を説明する。実施例３において、実施例１または実施例２と同様の構成には同様の参照符号を付して説明を省略する。
図１０（ａ）は、実施例３による光走査装置２０１の斜視図である。図１０（ｂ）は、実施例３によるＢＤユニット２３０および２４０を示す図である。
実施例３は、画像領域ＩＡの書き始め側画像端部の近傍と書き終わり側画像端部の近傍との両方にＢＤユニット２３０および２４０を配置する点で実施例１または実施例２と異なる。
【００８９】
実施例３において、ＢＤユニット２３０および２４０は、主走査方向Ｙにおける画像領域ＩＡの書き始め側画像端部および書き終わり側画像端部の近傍、すなわち、主走査方向Ｙにおける静電潜像の書き始め側および書き終わり側にそれぞれ配置されている。
書き始め側ＢＤユニット２３０および書き終わり側ＢＤユニット２４０は、画像領域ＩＡの両端部の近傍に、略左右対称に配置されている。
【００９０】
実施例３おいて、ＢＤユニット２３０および２４０は、図１０（ａ）に示すように、結像レンズ２１５の射出側の光ビームの光路上に配置されている。しかし、ＢＤユニット２３０および２４０の位置は、これに限定されず、例えば、トーリックレンズ２１２と結像レンズ２１５との間の光ビームの光路上に配置されていてもよい。ＢＤユニット２３０および２４０の一方が、結像レンズ２１５の射出側の光ビームの光路上に配置され、他方が、トーリックレンズ２１２と結像レンズ２１５との間の光ビームの光路上に配置されていてもよい。
【００９１】
実施例３におけるＢＤユニット位置調整方法は、実施例１および実施例２と同様であるので説明を省略する。
これによって、実施例３は、実施例１と同様の効果を奏する。
【符号の説明】
【００９２】
１、１０１、２０１・・・光走査装置
２・・・感光ドラム（像担持体）
２１９・・・光源
２１１・・・回転多面鏡（偏向器）
２１２・・・トーリックレンズ（走査系光学素子）
２１５・・・結像レンズ（走査系光学素子）
２２０・・・筐体
２３１、２４１・・・ＢＤミラー（反射部材）
２３２、２４２・・・ＢＤセンサ（検知器）
２３３、２４３・・・ＢＤ保持部材
２３０、２４０・・・ＢＤユニット（検知ユニット）
２３９、２４９・・・調整機構
２２１、２４５・・・突起部（案内機構）
２３７、２４７・・・長孔（案内機構）
【図１】
2014153379.tif 000003
【図２】
2014153379.tif 000004
【図３】
2014153379.tif 000005
【図４】
2014153379.tif 000006
【図５】
2014153379.tif 000007
【図６】
2014153379.tif 000008
【図７】
2014153379.tif 000009
【図８】
2014153379.tif 000010
【図９】
2014153379.tif 000011
【図１０】
2014153379.tif 000012